(57)【要約】【課題】コスト増加を招くことなく、浴室空間に広がり感を与え、圧迫感を減らすことができる浴室ユニットを提供する。【解決手段】浴室ユニット１は、浴室空間Ｓを形成する内壁面１１，１２に、水平方向の一方から他方に向かって明度が高くなるグラデーション部３１，３２を配置した。対向する一対の内壁面１１，１２に、それぞれグラデーション部３１，３２を配置し、それぞれのグラデーション部３１，３２の明度上昇方向を一致させる。一方は浴室空間Ｓの出入口側であり、他方は出入口側に対向する奥側である。【選択図】図１
2019105138.tif 000002
【特許請求の範囲】
【請求項１】
浴室空間を形成する内壁面に、水平方向の一方から他方に向かって明度が高くなるグラデーション部を配置した浴室ユニット。
【請求項２】
対向する一対の内壁面に、それぞれ前記グラデーション部を配置し、当該それぞれのグラデーション部の明度上昇方向が一致する、請求項１に記載の浴室ユニット。
【請求項３】
隣接する複数の内壁面に亘って、明度が連続して高くなるように前記グラデーション部を配置した、請求項１または２に記載の浴室ユニット。
【請求項４】
前記一方は前記浴室空間の出入口側であり、前記他方は前記出入口側に対向する奥側である、請求項１から３のうちいずれか一項に記載の浴室ユニット。
【発明の詳細な説明】
【技術分野】
【０００１】
本発明は浴室ユニットに関する。詳細には、浴室空間に広がり感を与え、窮屈に感じづらい浴室ユニットに関する。
【背景技術】
【０００２】
日本の住宅事情においては、浴室を広くすることが困難な場合が多い。そこで、浴室ユニットは、サイズを維持しながら、広がり感があり、窮屈に感じづらい浴室空間を実現することが求められている。
例えば、特許文献１では、コーナー部の質感をアクセント的に変えて、浴室空間を広く演出している。特許文献２では、鏡の配置を工夫して、圧迫感を減らしている。
【先行技術文献】
【特許文献】
【０００３】
【特許文献１】特開２００５−５４５４３号公報
【特許文献２】特開平７−１１７８８号公報
【発明の概要】
【発明が解決しようとする課題】
【０００４】
しかしながら、特許文献１記載の技術は、コーナー部に床面から天井に亘って、内壁面とは異素材のコーナー部材を配置する。このため、部品点数や取付作業が多くなり、コスト増加を招いてしまう。
また、特許文献２記載の技術は、洗い場水栓が取り付けられた内壁面に、横長の鏡を幅いっぱいに配置する。このため、浴室空間の全体を広く感じさせることができず、限定的な効果しか得られない。
【０００５】
本発明は、このような状況に鑑みてなされたものであって、コスト増加を招くことなく、浴室空間に広がり感を与え、圧迫感を減らすことができる浴室ユニットを提供することを目的とする。
【課題を解決するための手段】
【０００６】
上記課題を解決するために、本発明は、以下の手段を提案する。
本発明に係る浴室ユニットの第一実施態様は、浴室空間を形成する内壁面に、水平方向の一方から他方に向かって明度が高くなるグラデーション部を配置したことを特徴とする。
【０００７】
本発明に係る浴室ユニットの第二実施態様は、第一実施態様において、対向する一対の内壁面に、それぞれ前記グラデーション部を配置し、当該それぞれのグラデーション部の明度上昇方向が一致することを特徴とする。
【０００８】
本発明に係る浴室ユニットの第三実施態様は、第一または第二実施態様において、隣接する複数の内壁面に亘って、明度が連続して高くなるように前記グラデーション部を配置したことを特徴とする。
【０００９】
本発明に係る浴室ユニットの第四実施態様は、第一から第三実施態様のいずれかにおいて、前記一方は前記浴室空間の出入口側であり、前記他方は前記出入口側に対向する奥側であることを特徴とする。
【発明の効果】
【００１０】
本発明によれば、コスト増加を招くことなく、浴室空間に広がり感を与え、圧迫感を減らすことができる浴室ユニットを実現することができる。
【図面の簡単な説明】
【００１１】
【図１】本発明の第一実施形態に係る浴室ユニット１を示す図であって、浴室空間Ｓを天井側から見た俯瞰図である。
【図２】本発明の第二実施形態に係る浴室ユニット２を示す図であって、浴室空間Ｓを天井側から見た俯瞰図である。
【図３】浴室ユニット２の変形例を示す図であって、浴室空間Ｓを天井側から見た俯瞰図である。
【図４】グラデーション部３１〜３４の変形例（ドット模様）を示す図である。
【図５】グラデーション部３１〜３４の変形例（縦縞模様）を示す図である。
【図６】ドア２５等のレイアウトを変更した浴室ユニット１を示す図である。
【発明を実施するための形態】
【００１２】
以下、本発明の実施形態について図面を参照して説明する。
【００１３】
〔第一実施形態〕
図１は、本発明の第一実施形態に係る浴室ユニット１を示す図であって、浴室空間Ｓを天井側から見た俯瞰図である。
浴室ユニット１は、内壁面１１〜１４、洗い場パネル１６、天井パネル（不図示）、浴槽２１、ドア２５を備える。以下の説明において、これら部材に囲まれた空間を浴室空間Ｓと呼ぶ。
出入口であるドア２５側から見たときに、左側が内壁面１１、右側が内壁面１２、奥側が内壁面１３、手前側が内壁面１４である。各内壁面１１〜１４は、１枚のパネルにより構成される場合に限らず、複数枚のパネルにより構成される場合もある。
内壁面１１〜１４は、鋼鈑やＦＲＰ（繊維強化プラスティック）、人造大理石などにより形成される。
内壁面１３には、水栓２２、シャワー器具２３、鏡２４等が取り付けられる。内壁面１４には、ドア２５等が取り付けられる。
【００１４】
図１に示すように、内壁面１１，１２の表面には、色の明度が出入口側（一方）から奥側（他方）に向かって高くなるグラデーション部３１，３２が設けられる。
グラデーション部３１は、左側の内壁面１１に配置され、グラデーション部３２は、右側の内壁面１２に配置される。つまり、グラデーション部３１，３２は、対向配置された左右一対の内壁面１１，１２に設けられる。
【００１５】
グラデーション部３１，３２は、左右側の内壁面１１，１２の全面に配置される。グラデーション部３１，３２は、左右側の内壁面１１，１２において、出入口側が暗い色にされ、奥側が明るい色にされる。そして、グラデーション部３１，３２は、出入口側から奥側の間において、色の明度が連続的に変化する。つまり、グラデーション部３１，３２は、水平方向において、出入口側（一方）から奥側（他方）に向かう方向が明度上昇方向に設定される。明度上昇方向とは、色の明度が低度から高度に上昇する方向をいう。グラデーション部３１，３２は、明度上昇方向が一致する。
なお、グラデーション部３１，３２は、垂直方向において、色の明度が一定である。
【００１６】
グラデーション部３１，３２の色相や彩度は任意である。グラデーション部３１，３２は、同色または同系色であることが好ましい。グラデーション部３１，３２の色は、有彩色、無彩色のいずれであってもよい。
出入口と対向する奥側の内壁面１３は、グラデーション部３１，３２の奥側の色（明るい色）と同色にされる。出入口側の内壁面１４は、グラデーション部３１，３２の出入口側の色（暗い色）と同色にされる。
【００１７】
グラデーション部３１，３２は、出入口側が暗い色にされ、奥側が明るい色にされ、水平方向において出入口側から奥側に向かって明度が高くなる。これにより、入浴者が浴室空間Ｓの出入口側から奥側を見たときに、浴室空間Ｓの水平方向の遠近感が強調されて、浴室空間Ｓの水平方向の広がりを強く感じるようになる。
つまり、浴室ユニット１は、左右側の内壁面１１，１２にグラデーション部３１，３２を設けることにより、浴室空間Ｓに広がり感を与え、圧迫感を減らすことができる。
なお、快適な入浴時間を過ごすには、浴室ユニット１内に入ったときの心持ちが重要な因子の一つとなる。ゆえに、ドア２５を開けて、浴室ユニット１内を見たときの印象が大切である。すなわち、浴室ユニット１内に入るときに浴室空間Ｓの広がりを強く感じることにより、いい心持ちとなり快適な入浴時間を過ごすことができる。
【００１８】
グラデーション部３１，３２は、インクジェット印刷により内壁面１１，１２に配置される。すなわち、インクジェット印刷装置から内壁面１１，１２に向けてインクを吐出して、内壁面１１，１２の表面にグラデーション部３１，３２を印刷するインクジェット印刷が用いられる。
【００１９】
グラデーション部３１，３２は、内壁面１１，１２の全面に配置される場合に限らない。グラデーション部３１，３２は、内壁面１１，１２の一部にのみ配置されてもよい。例えば、グラデーション部３１，３２は、水平方向の長さが内壁面１１，１２の半分程度であってもよい。また、グラデーション部３１とグラデーション部３２は、水平方向の長さが異なってもよい。また、内壁面１１，１２のいずれか一方のみにグラデーション部が設けられてもよい。この場合であっても、上述した効果が得られる。
【００２０】
さらにまた、グラデーション部３１，３２は、内壁面１１，１２の出入口側（一方）が明るい色にされ、奥側（他方）が暗い色にされてもよい。これにより、入浴者が浴室空間Ｓの奥側から出入口側を見たときに、浴室空間Ｓの水平方向の遠近感が強調されて、浴室空間Ｓの水平方向の広がりを強く感じるようになる。
【００２１】
〔第二実施形態〕
図２は、本発明の第二実施形態に係る浴室ユニット２を示す図であって、浴室空間Ｓを天井側から見た俯瞰図である。本実施形態において、第一実施形態と同一の部材等には同一の符号を付して、その説明を省略する。
【００２２】
図２に示すように、左右の内壁面１１，１２に加えて、奥側の内壁面１３にもグラデーション部３３，３４が設けられる。
【００２３】
グラデーション部３３は、左側の内壁面１１から奥側の内壁面１３に亘って配置される。つまり、グラデーション部３３は、内壁面１１と内壁面１３が接するコーナー部Ｃ１を含むように配置される。また、グラデーション部３３は、色の明度が内壁面１１の出入口側から奥側に向かって高くなり、さらに連続して内壁面１３の左側から中央に向かって高くなる。なお、内壁面１１の奥側と内壁面１３の左側は同一の明度である。
グラデーション部３４は、右側の内壁面１２から奥側の内壁面１３に亘って配置される。つまり、グラデーション部３４は、内壁面１２と内壁面１３が接するコーナー部Ｃ２を含むように配置される。また、グラデーション部３４は、色の明度が内壁面１２の出入口側から奥側に向かって高くなり、さらに連続して内壁面１３の右側から中央に向かって高くなる。なお、内壁面１２の奥側と内壁面１３の右側は同一の明度である。
【００２４】
グラデーション部３３，３４は、グラデーション部３１，３２と同様に形成される。
内壁面１３のうち、グラデーション部３３，３４を除く領域は、グラデーション部３３，３４の中央側の色（明るい色）と同色にされる。内壁面１４は、グラデーション部３３，３４の出入口側の色（暗い色）と同色にされる。
【００２５】
グラデーション部３３，３４は、水平方向において出入口側（一方）から奥側（他方）に向かって明度が高くなる。つまり、グラデーション部３３，３４は、出入口側（一方）から奥側（他方）に向かう方向が明度上昇方向に設定される。グラデーション部３３，３４は、明度上昇方向が一致する。これにより、入浴者が浴室空間Ｓの出入口側から奥側を見たときに、浴室空間Ｓの水平方向の遠近感がさらに強調されて、浴室空間Ｓの水平方向の広がりをより強く感じるようになる。
また、グラデーション部３３，３４は、隣接する複数枚の内壁面１１，１３、内壁面１２,１３に亘って設けられる。グラデーション部３３，３４がコーナー部Ｃ１，Ｃ２を含むように配置されるため、コーナー部Ｃ１，Ｃ２が内壁面１１，１２，１３に同化する。これにより、内壁面１１，１２，１３の一体感が強調されて、浴室空間Ｓの水平方向の広がりをより強く感じるようになる。
したがって、浴室ユニット２は、内壁面１１，１２，１３にグラデーション部３３，３４を設けることにより、浴室空間Ｓに広がり感を与え、圧迫感を減らすことができる。
【００２６】
本実施形態のグラデーション部３３，３４は、第一実施形態のグラデーション部３１，３２と同様に、インクジェット印刷により内壁面１１，１２，１３に形成される。
【００２７】
グラデーション部３３，３４は、内壁面１１，１２の全面に配置される場合に限らない。グラデーション部３３，３４は、内壁面１１，１２の一部にのみ配置されてもよい。
グラデーション部３３，３４は、内壁面１３の全面に配置されてもよい。つまり、グラデーション部３３，３４を内壁面１３の中央付近で接続してもよい。
また、グラデーション部３３とグラデーション部３４は、水平方向の長さが異なっていてもよい。
内壁面１１，１２のいずれか一方のみにグラデーション部が設けられてもよい。
また、図３に示すように、グラデーション部３３，３４は、出入口側の内壁面１４から左右側の内壁面１１，１２を経て奥側の内壁面１３に亘るように配置されてもよい。
これらの場合であっても、上述した効果が得られる。
【００２８】
グラデーション部３３，３４は、内壁面１１，１２の出入口側が明るい色にされ、奥側が暗い色にされる場合であってもよい。これにより、入浴者が浴室空間Ｓの奥側から出入口側を見たときに、浴室空間Ｓの水平方向の遠近感が強調されて、浴室空間Ｓの水平方向の広がりを強く感じるようになる。
【００２９】
〔グラデーション部３１〜３４の変形例〕
図４および図５は、グラデーション部３１〜３４の変形例を示す図であり、図４はドット模様、図５は縦縞模様である。
グラデーション部３１〜３４は、内壁面１１，１２等を塗りつぶす場合に限らない。グラデーション部３１〜３４は、ドット模様や縦縞模様により実現してもよい。
【００３０】
以下、グラデーション部３１をドット模様や縦縞模様で実現する例について説明する。
図４に示すように、グラデーション部３１をドット模様で実現する場合は、内壁面１１を明るい色にし、その上に暗い色のドット模様を配置する。
ドット模様は、直径が一定であり、内壁面１１の出入口側が高密度、奥側が低密度に配置される。または、ドット模様は、内壁面１１の出入口側が大径、奥側が小径であり、均一な密度に配置される。これにより、グラデーション部３１は、水平方向において出入口側（一方）から奥側（他方）に向かって明度が高くなる。
【００３１】
図４の例とは反対に、内壁面１１を暗い色にし、その上に明るい色のドット模様を配置する。ドット模様は、直径が一定であり、内壁面１１の出入口側が低密度、奥側が高密度に配置される。または、ドット模様は、内壁面１１の出入口側が小径、奥側が大径であり、均一な密度に配置される。これにより、グラデーション部３１は、水平方向において、出入口側（一方）から奥側（他方）に向かって明度が高くなる。
【００３２】
図５に示すように、グラデーション部３１を縦縞模様で実現する場合は、内壁面１１を明るい色にし、その上に暗い色の縦縞模様を配置する。縦縞模様は、幅が一定であり、内壁面１１の出入口側が高密度、奥側が低密度に配置される。または、縦縞模様は、内壁面１１の出入口側が幅広、奥側が幅狭であり、均一な密度に配置される。これにより、グラデーション部３１は、水平方向において出入口側（一方）から奥側（他方）に向かって明度が高くなる。
【００３３】
図５の例とは反対に、内壁面１１を暗い色にし、その上に明るい色の縦縞模様を配置する。縦縞模様は、幅が一定であり、内壁面１１の出入口側が低密度、奥側が高密度に配置される。または、縦縞模様は、内壁面１１の出入口側が幅狭、奥側が幅広であり、均一な密度に配置される。これにより、グラデーション部３１は、水平方向において出入口側（一方）から奥側（他方）に向かって明度が高くなる。
【００３４】
本発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００３５】
例えば、図６に示すように、ドア２５や浴槽２１などのレイアウトは、任意に変更することができる。最も典型的には、出入口から見て広がり感を呈するように、内壁面１１，１２にグラデーション部を配することが好ましい。
また、例えば、浴槽２１，水栓２２，シャワー器具２３，鏡２４などの設置レイアウトは図示の例に限らない。
【００３６】
内壁面１３,１４にグラデーション部を設けてもよい。このグラデーション部としては、グラデーション部３１〜３４を選択することができる。この場合であっても、上述した効果が得られる。
【００３７】
グラデーション部３１〜３４は、例えば、浴室空間Ｓの浴槽側（一方）から洗い場側（他方）に向けて明度が高くなる場合であってもよい。この場合であっても、上述した効果が得られる。
【００３８】
グラデーション部３１〜３４の色の明度の変化は、線形に変化する場合に限らず、非線形に変化してもよい。
グラデーション部３１〜３４は、色の明度が変化する場合に限らない。色の濃淡（明度と彩度の組み合わせ）が変化する場合であってもよい。また、グラデーション部３１〜３４は、色相が変化する場合であってもよい。いわゆる色彩遠近法により赤や黄等の暖色系が前方に迫り出し、青等の寒色系が後方に向かって吸収されていくように感じることを利用してもよい。
【００３９】
グラデーション部３１〜３４の形成方法は、インクジェット印刷に限らない。グラデーション部３１〜３４は、ロール印刷や印刷シートを内壁面に貼り付ける方法等によって形成してもよい。
【符号の説明】
【００４０】
１，２  浴室ユニット  
１１〜１４  内壁面  
１６  洗い場パネル
２１  浴槽  
２２  水栓  
２３  シャワー器具  
２４  鏡  
２５  ドア  
３１〜３４  グラデーション部  
Ｃ１，Ｃ２  コーナー部  
Ｓ  浴室空間    
【図１】
2019105138.tif 000003
【図２】
2019105138.tif 000004
【図３】
2019105138.tif 000005
【図４】
2019105138.tif 000006
【図５】
2019105138.tif 000007
【図６】
2019105138.tif 000008